(57)【要約】  アップダウンリンク設定情報の通知方法であって、該方法は、基地局はユーザー装置（UE）にダウンリンク制御情報フォーマットを送信し、アップダウンリンク設定を指示するためのアップダウンリンク設定情報を携えることを含む。【選択図】図11
2016529796.tif 000002
【特許請求の範囲】
【請求項１】
アップダウンリンク設定情報の通知方法であって、
基地局はユーザー装置（UE）にダウンリンク制御情報フォーマットを送信し、前記ダウンリンク制御情報フォーマットに、アップダウンリンク設定を指示するためのアップダウンリンク設定情報を携えることを含む通知方法。
【請求項２】
ダウンリンク制御情報フォーマットを送信する前に、前記基地局は更に無線ネットワーク一時識別子（RNTI）を設定することに用いられ、且つ前記基地局は複数のUEのために同じ又は異なるアップダウンリンク設定の専有のRNTIを設定することを更に含む請求項1に記載の方法。
【請求項３】
前記基地局は、
高位レイヤシグナリングによって通知する方式、
前記UE専有の伝送モードを設定する方式、及び
前記UEが動的アップダウンリンク設定調整モードに入ることを活性化する方式の中の1種によって、RNTIに基づきアップダウンリンク設定情報の検出を前記UEに通知することをさらに含む請求項1に記載の方法。
【請求項４】
前記ダウンリンク制御情報フォーマットは若干の制御ドメインを含み、その中の少なくとも1つの制御ドメインは前記アップダウンリンク設定情報を携えることに用いられる請求項1に記載の方法。
【請求項５】
前記各制御ドメインは1種のアップダウンリンク設定を指示する請求項4に記載の方法。
【請求項６】
前記ダウンリンク制御情報フォーマットの少なくとも1つの制御ドメインは既存の制御情報を指示することに用いられる又は新しく増加した制御情報を指示することに用いられる又は事前定義値に設定される請求項4に記載の方法。
【請求項７】
前記アップダウンリンク設定情報は、
前記UEの1つ又は複数のサービスセルのアップダウンリンク設定情報、
前記UEのサービスセル内の1つ又は複数の伝送ノードのアップダウンリンク設定情報、及び
前記UEのサービスセルの隣接するサービスセルのアップダウンリンク設定情報の中の少なくとも1つである請求項1に記載の方法。
【請求項８】
キャリアアグリゲーションシステムにおいて、
すべてのアグリゲーションに参加するサービスセルのアップダウンリンク設定情報は同一のダウンリンク制御情報フォーマットにベアラされて、マスタサービスセルの物理ダウンリンク制御チャネルによって送信され、
又は、すべてのアグリゲーションに参加するサービスセルのアップダウンリンク設定情報はそれぞれ異なるダウンリンク制御情報フォーマットにベアラされて、それぞれ各自のサービスセルに対応する物理ダウンリンク制御チャネルによって送信され、
又は、すべてのアグリゲーションに参加するサービスセルのアップダウンリンク設定情報は事前定義されたダウンリンク制御情報フォーマットにベアラされて、事前定義された物理ダウンリンク制御チャネルによって送信される請求項1に記載の方法。
【請求項９】
前記アップダウンリンク設定情報の前記ダウンリンク制御情報フォーマットにおける位置は、
高位レイヤシグナリング、或いは事前定義された方式、或いはサービスセルインデックスとのマッピング関係、或いはキャリア指示制御ドメイン（CIF）とのマッピング関係、或いはチャネル状態情報を取得するための基準信号の設定パラメータ（CSI-RS-Config）とのマッピング関係、或いはQuasi co location（QCL）設定パラメータとのマッピング関係の中の任意の1種によって確定される請求項1に記載の方法。
【請求項１０】
前記ダウンリンク制御情報フォーマットの中での前記アップダウンリンク設定情報の位置とは、前記ダウンリンク制御情報フォーマットにおける制御ドメインのインデックス値を指す請求項9に記載の方法。
【請求項１１】
前記基地局は複数のUEのために同じ又は異なる制御ドメインのインデックス値を設定する請求項10に記載の方法。
【請求項１２】
前記基地局は物理ダウンリンク制御チャネルによって前記ダウンリンク制御情報フォーマットを送信し、前記物理ダウンリンク制御チャネルは公有の探索空間において送信され、或いは公有の探索空間と専有の探索空間において送信され、或いはキャリアアグリゲーションシステムにおいて、マスタサービスセルの公共探索空間において送信され、或いは各サービスセルに対応する専有の探索空間とマスタサービスセルの公有の探索空間において送信される請求項1に記載の方法。
【請求項１３】
アップダウンリンク設定情報の取得方法であって、
ユーザー装置（UE）が候補の探索空間において物理ダウンリンク制御チャネルのブラインドの検出を行い、前記ダウンリンク制御情報フォーマットを取得し、その中にアップダウンリンク設定を指示するためのアップダウンリンク設定情報を携えること、及び
前記UEはアップダウンリンク設定情報の前記ダウンリンク制御情報フォーマットにおける位置に基づき、前記アップダウンリンク設定情報を抽出することを含むアップダウンリンク設定情報の取得方法。
【請求項１４】
前記アップダウンリンク設定情報の前記ダウンリンク制御情報フォーマットにおける位置は、
高位レイヤシグナリング、或いは事前定義された方式、或いはサービスセルインデックスとのマッピング関係、或いはキャリア指示制御ドメイン（CIF）とのマッピング関係、或いはチャネル状態情報を取得するための基準信号の設定パラメータ（CSI-RS-Config）とのマッピング関係、或いはQuasi co location（QCL）設定パラメータとのマッピング関係の少なくとも1種によって確定される請求項13に記載の方法。
【請求項１５】
前記アップダウンリンク設定情報の前記ダウンリンク制御情報フォーマットにおける位置とは、前記ダウンリンク制御情報フォーマットにおける制御ドメインのインデックス値を指す請求項14に記載の方法。
【請求項１６】
キャリアアグリゲーションシナリオで、すべてのアグリゲーションに参加するサービスセルのアップダウンリンク設定情報を同一のダウンリンク制御情報フォーマットにベアラし、或いは、キャリアアグリゲーションシナリオで、すべてのアグリゲーションに参加するサービスセルのアップダウンリンク設定情報を異なるダウンリンク制御情報フォーマットにベアラし、或いは、キャリアアグリゲーションシナリオで、前記アグリゲーションに参加するサービスセルのアップダウンリンク設定を各自のサービスセルに対応するダウンリンク制御情報フォーマットにベアラする請求項13に記載の方法。
【請求項１７】
前記候補探索空間は公有の探索空間であり、或いは公有の探索空間と専有の探索空間であり、或いはキャリアアグリゲーションの際に、マスタサービスセルの公有の探索空間であり、或いは各サービスセルに対応する専有の探索空間とマスタサービスセルの公有の探索空間である請求項13に記載の方法。
【請求項１８】
基地局であって、
ユーザー装置（UE）にダウンリンク制御情報フォーマットを送信し、その中にアップダウンリンク設定を指示するためのアップダウンリンク設定情報を携えるように設定される制御情報送信モジュールを備える基地局。
【請求項１９】
無線ネットワーク一時識別子（RNTI）を設定して、且つ複数のUEのために同じ又は異なるアップダウンリンク設定専有のRNTIを設定するように設定される設定モジュールを更に備える請求項18に記載の基地局。
【請求項２０】
前記ダウンリンク制御情報フォーマットは若干の制御ドメインを含み、その中の少なくとも1つの制御ドメインは前記アップダウンリンク設定情報を携えることに用いられる請求項18に記載の基地局。
【請求項２１】
前記制御ドメイン毎に一種のアップダウンリンク設定を指示する請求項18に記載の基地局。
【請求項２２】
前記ダウンリンク制御情報フォーマットの少なくとも1つの制御ドメインは既存の制御情報を指示することに用いられる又は新しく増加した制御情報を指示することに用いられる又は事前定義値に設定される請求項21に記載の基地局。
【請求項２３】
前記アップダウンリンク設定情報の前記ダウンリンク制御情報フォーマットにおける位置は、
高位レイヤシグナリング、或いは事前定義された方式、或いはサービスセルインデックスとのマッピング関係、或いはキャリア指示制御ドメイン（CIF）とのマッピング関係、或いはチャネル状態情報を取得するための基準信号の設定パラメータ（CSI-RS-Config）とのマッピング関係の中の任意の1種によって確定される請求項18に記載の基地局。
【請求項２４】
前記アップダウンリンク設定情報の前記ダウンリンク制御情報フォーマットにおける位置とは前記ダウンリンク制御情報フォーマットにおける制御ドメインのインデックス値を指す請求項23に記載の基地局。
【請求項２５】
ユーザー装置であって、
候補の探索空間において物理ダウンリンク制御チャネルのブラインドの検出を行い、前記ダウンリンク制御情報フォーマットを取得し、その中にアップダウンリンク設定を指示するためのアップダウンリンク設定情報を携えるように設定されるブラインド検出モジュール、及び
アップダウンリンク設定情報の前記ダウンリンク制御情報フォーマットにおける位置に基づき、前記アップダウンリンク設定情報を抽出するように設定される情報抽出モジュールを備えるユーザー装置。
【請求項２６】
前記アップダウンリンク設定情報の前記ダウンリンク制御情報フォーマットにおける位置は、
高位レイヤシグナリング、或いは事前定義された方式、或いはサービスセルインデックスとのマッピング関係、或いはキャリア指示制御ドメイン（CIF）とのマッピング関係、或いはCSI-RS-config高位レイヤ設定パラメータとのマッピング関係の中の少なくとも1種によって確定される請求項25に記載のユーザー装置。
【請求項２７】
前記アップダウンリンク設定情報の前記ダウンリンク制御情報フォーマットにおける位置とは、前記ダウンリンク制御情報フォーマットにおける制御ドメインのインデックス値を指す請求項25に記載のユーザー装置。
【請求項２８】
キャリアアグリゲーションシナリオで、すべてのアグリゲーションに参加するサービスセルのアップダウンリンク設定情報を同一のダウンリンク制御情報フォーマットにベアラし、或いは、キャリアアグリゲーションシナリオで、すべてのアグリゲーションに参加するサービスセルのアップダウンリンク設定情報を異なるダウンリンク制御情報フォーマットにベアラし、或いは、キャリアアグリゲーションシナリオで、前記アグリゲーションに参加するサービスセルのアップダウンリンク設定を各自のサービスセル対応なダウンリンク制御情報フォーマットにベアラする請求項25に記載のユーザー装置。
【発明の詳細な説明】
【技術分野】
【０００１】
本発明は移動通信分野に関し、特にアップダウンリンク設定情報通知、取得方法、基地局及びユーザー装置に関する。
【背景技術】
【０００２】
時分割二重（TDD、Time Division Duplex）システムは、時間領域ではアップリンク（端末により基地局に送信する）及びダウンリンク（基地局により端末に送信する）リソースを分割し、且つ、通常では、タイムスロット又はサブフレームを単位としてアップダウンリンクリソースの配分を行う。一般的に、基地局は半静的で放送シグナリングを使用してアップダウンリンクリソースの配分状況をセル内のすべての端末に通知する。
【０００３】
例えば、図1はロングタームエボリューション（LTE、Long Term Evolution）システムTDDモードのフレーム構造（第二種のフレーム構造とも呼ばれ、即ちframe structure type 2）を示す。該フレーム構造において、1つの10ミリ秒（即ち307200Ts、Tsがサンプリング間隔であり、1Ts=1/30720000 秒）のワイヤレスフレームが2つのハーフフレームであり、各ハーフフレームが5ミリ秒（即ち5ms）である。各ハーフフレームは5つの1msのサブフレームを含む。各サブフレームの作用を表に示し、Dがダウンリンク信号を伝送するためのダウンリンクサブフレームを表す。Uがアップリンク信号を伝送するためのアップリンクサブフレームを表す。1つのアップリンク又はダウンリンクサブフレームはまた2つの0.5msのタイムスロットに分けられる。Sは特別なサブフレームを表し、3つの特別なタイムスロット、即ちDwPTS（Downlink Pilot Time Slot、ダウンリンクパイロットタイムスロット、ダウンリンク信号を伝送することに用いられる）、GP（Guard Period、保護間隔）及びUpPTS（Uplink Pilot Time Slot、アップリンクパイロットタイムスロット、アップリンク信号を伝送することに用いられる）を含む。
【０００４】
2016529796.tif 000003
【０００５】
LTEシステムのダウンリンクは直交周波数分割多重（OFDM、Orthogonal Frequency Division Multiplexing）技術を使用して、アップリンクはシングルキャリア-周波数分割多元接続（SC-FDMA、 Single Carrier - Frequency Division Multiple Access）技術（又はDFT Spread -OFDM技術と称する）を使用する。通常のサイクリックプレフィックス（CP、Cyclic Prefix）条件で、1つのタイムスロットは7つのOFDMシンボル又はSC-FDMAシンボルからなる。拡張CP（Extended cyclic prefix）条件で、1つのタイムスロットは6つのOFDMシンボル又はSC-FDMAシンボルからなる。図2は通常のCPを例として、1つのダウンリンクサブフレームの模式図を示す。1つのRE（Resource Element、リソース要素）の帯域幅が15kHzであり、時間領域では1つのOFDM又はSC-FDMAシンボルを占める。1つのRB（Resource Block、リソースブロック）は周波数領域では12つのREを占め、時間領域では1つのタイムスロットを占用する。
【０００６】
LTEシステムは物理ダウンリンク共有チャネル（PDSCH、Physical Downlink Shared CHannel）によってダウンリンクデータサービスを送信し、物理アップリンク共有チャネル（PUSCH、Physical Uplink Shared CHannel）によってアップリンクデータサービスを送信する。なお、LTE物理層はアップダウンリンクデータの伝送を補助するためのいくつかの制御チャネルを更に含む。例えば、
●PDCCH（物理ダウンリンク制御チャネル、Physical Downlink Control Channel）又はEPDCCH（強化された物理ダウンリンク制御チャネル、Enhanced Physical Downlink Control Channel）は、以下の制御情報をベアラすることに用いられ、
■アップリンクスケジューリングシグナリング（例えばダウンリンク制御情報（Downlink Control Information 、DCI）形式0/4）。該シグナリングは端末のアップリンクリソースの配分状況を指示して、ブロックの変調および符号化方式等の情報を伝送することに用いられ、
■ダウンリンクスケジューリングシグナリング（例えばDCI形式 1/1A/1B/1C/1D/2/2A/2B/2C/2D）。該シグナリングは端末のダウンリンクリソース配分状況を指示して、ブロックの変調および符号化方式等の情報を伝送することに用いられ、
■アップリンク電力制御シグナリング（例えばDCI形式 3/3A）。該シグナリングは端末のアップリンク射出電力の調整状況を指示することに用いられ、
●PHICH（物理ハイブリッドARQ指示チャネル、Physical Hybrid ARQ Indicator CHannel）は、アップリンクデータの伝送結果が正確であるかどうかを指示することに用いられる。
各ダウンリンク制御情報は、CRC（周期的冗長検査：Cyclic Redundancy Check）の適用、チャネル符号化、速率マッチング等の過程を経た後に、最終的に、1つ又は複数のCCE（制御チャネル要素、Control Channel Element）の形式でPDCCHには送信される。CRCを適用する場合に、更に、対応なRNTIを使用してCRCをスクランブリングする必要がある。
【０００７】
物理ダウンリンク制御チャネルが伝送した物理リソースは制御チャネル要素CCEであり、1つのCCEのサイズが9つのリソース要素グループ（REG、Resource Element Group）であり、即ち36つのリソース要素（RE、Resource Element）であり、1つのPDCCHが1、2、4又は8つのCCEを占用する可能性がある。1、2、4、8つのCCEを占用するような4種のPDCCHのサイズは、ツリー状のアグリゲーション（Aggregation）を採用し、即ち1つのCCEを占用するPDCCHは任意のCCE位置から始めることができ、2つのCCEを占用するPDCCHは偶数CCE位置から始め、4つのCCEを占用するPDCCHは4の整数倍のCCE位置から始め、8つのCCEを占用するPDCCHは8の整数倍のCCE位置から始める。1つのワイヤレスフレームでは、通常のサイクリックプレフィックス（CP、Cyclic Prefix）を採用すると、各サブフレームの第1つのタイムスロットの前の1〜3つのOFDMシンボルはPDCCHの物理リソースをベアラでき、残されたシンボルにはダウンリンク共有チャネル（PDSCH、Physical Downlink Shared Channel）の物理リソースをベアラできる。
【０００８】
各アグリゲーションレベル（Aggregation Level）に対して、1つの探索空間（Search space）を標準的に定義し、公有の（Common）の探索空間及びユーザー装置専有（UE-specific）の探索空間を含む。探索空間全体のCCE数は各ダウンリンクサブフレームにおけるPCFICHが指示した制御領域の占用したOFDMシンボル数及びPHICHのグループ数により確定される。UEは探索空間内で伝送モードのDCI形式に応じて、すべての可能なPDCCH符号レートをブラインド検出する。
【０００９】
LTEシステムにおいて、アップダウンリンクデータの伝送は、対応する制御シグナリングと一定のタイミング関係がある。PDSCHのスケジューリングシグナリングとPDSCHは同一のサブフレーム（仮にサブフレームn）で送信され、PDSCHのフィードバックシグナリング（ACK/NACK、データを正確に伝送するかどうかを指示することに用いられる）がPDSCHの後のサブフレームn+kで送信される。PUSCHがサブフレームmで送信され、そのスケジューリングシグナリングが前のサブフレームm-pで送信され、フィードバックシグナリング（ACK/NACK）がその後のサブフレームm+qで送信される。
【００１０】
いくつかの無線通信シナリオでは、基地局サービス地域内のアップダウンリンクサービスは激しく変化する。例えば、いくつかのスモールセル（small cell）又は家庭環境では、1つの基地局がサービスしたユーザー数は非常に少なく、システム負荷が低く、サービス地域内のアップダウンリンクデータ量の比例は速く変化する。このような条件で、半静的にTDDシステムアップダウンリンクリソースを配分するのはリソース配分の効率に影響を及ぼす。このような背景で、LTE R12バージョンはTDDモードのために動的アップダウンリンク設定調整機能を引き入れる。しかしながら、基地局は如何に高速に端末に現在セルが使用したアップダウンリンク設定を通知するかはまだ解決すべく問題である。
【発明の概要】
【発明が解決しようとする課題】
【００１１】
本発明の解決しようとする技術的問題は、従来の端末にアップダウンリンク設定を高速に通知できない問題を解決するためのアップダウンリンク設定情報通知、取得方法、基地局及びユーザー装置を提供する。
【課題を解決するための手段】
【００１２】
上記の技術的問題を解決するために、本発明はアップダウンリンク設定情報通知方法を提供し、該方法は、
基地局はユーザー装置（UE）にダウンリンク制御情報フォーマットを送信し、その中にアップダウンリンク設定を指示するためのアップダウンリンク設定情報を携えることを含む。
【００１３】
好ましくは、ダウンリンク制御情報フォーマットを送信する前に、前記基地局は更に無線ネットワーク一時識別子（RNTI）を設定することに用いられ、且つ前記基地局は複数のUEのために同じ又は異なるアップダウンリンク設定専有のRNTIを設定する。
【００１４】
好ましくは、前記基地局は、
高位レイヤシグナリングによって通知する方式、
前記UE専有の伝送モードを設定する方式、及び
前記UEが動的アップダウンリンク設定調整モードに入ることを活性化する方式の中の1種によって前記UEにRNTIに基づきアップダウンリンク設定情報の検出を通知する。
【００１５】
好ましくは、前記ダウンリンク制御情報フォーマットは若干の制御ドメインを含み、少なくとも1つの制御ドメインは前記アップダウンリンク設定情報を携えることに用いられる。
【００１６】
好ましくは、前記各制御ドメインは1種のアップダウンリンク設定を指示する。
【００１７】
好ましくは、前記ダウンリンク制御情報フォーマットの少なくとも1つの制御ドメインは既存の制御情報を指示する又は新しく増加した制御情報を指示する又は事前定義値とすることに用いられる。
【００１８】
選択的に、前記ダウンリンク制御情報フォーマットの中での前記アップダウンリンク設定情報の位置とは前記ダウンリンク制御情報フォーマットにおける制御ドメインのインデックス値を指す。
【００１９】
好ましくは、前記基地局は複数のUEのために同じ又は異なる制御ドメインのインデックス値を設定する。
【００２０】
好ましくは、前記アップダウンリンク設定情報は、
前記UEの1つ又は複数のサービスセルのアップダウンリンク設定情報、
前記UEのサービスセル内の1つ又は複数の伝送ノードのアップダウンリンク設定情報、及び
前記UEのサービスセルの隣接するサービスセルのアップダウンリンク設定情報の中の少なくとも1つである。
【００２１】
好ましくは、キャリアアグリゲーションシステムにおいて、
すべてのアグリゲーションに参加するサービスセルのアップダウンリンク設定情報は同一のダウンリンク制御情報フォーマットにベアラされて、マスタサービスセルの物理ダウンリンク制御チャネルによって送信され、
又は、すべてのアグリゲーションに参加するサービスセルのアップダウンリンク設定情報はそれぞれ異なるダウンリンク制御情報フォーマットにベアラされて、それぞれ各自のサービスセルに対応する物理ダウンリンク制御チャネルによって送信され、
又は、すべてのアグリゲーションに参加するサービスセルのアップダウンリンク設定情報は事前定義されたダウンリンク制御情報フォーマットにベアラされて、事前定義された物理ダウンリンク制御チャネルによって送信される。
【００２２】
好ましくは、前記ダウンリンク制御情報フォーマットの中での前記アップダウンリンク設定情報の位置は、
高位レイヤシグナリング、或いは事前定義された方式、或いはサービスセルインデックスとのマッピング関係、或いはキャリア指示制御ドメイン（CIF）とのマッピング関係、或いはチャネル状態情報を取得するための基準信号の設定パラメータ（CSI-RS-Config）とのマッピング関係、或いはQuasi co location（QCL）設定パラメータとのマッピング関係の中の任意の1種によって確定される。
【００２３】
好ましくは、前記ダウンリンク制御情報フォーマットの中での前記アップダウンリンク設定情報の位置とは、前記ダウンリンク制御情報フォーマットにおける制御ドメインのインデックス値を指す。
【００２４】
好ましくは、前記基地局は複数のUEのために同じ又は異なる制御ドメインのインデックス値を設定する。
【００２５】
好ましくは、前記基地局は物理ダウンリンク制御チャネルによって前記ダウンリンク制御情報フォーマットを送信し、前記物理ダウンリンク制御チャネルは公有の探索空間において送信し、或いは公有の探索空間と専有の探索空間において送信し、或いはキャリアアグリゲーションシステムにおいて、マスタサービスセルの公共探索空間において送信し、或いは各サービスセルに対応する専有の探索空間とマスタサービスセルの公有の探索空間において送信する。
【００２６】
上記の技術問題を解決するために、本発明はアップダウンリンク設定情報取得方法を更に提供し、該方法は、
ユーザー装置（UE）は候補の探索空間において物理ダウンリンク制御チャネルのブラインド検出を行い、前記ダウンリンク制御情報フォーマットを取得し、その中にアップダウンリンク設定を指示するためのアップダウンリンク設定情報を携えること、及び
前記UEは、前記ダウンリンク制御情報フォーマットの中でのアップダウンリンク設定情報の位置に基づき、前記アップダウンリンク設定情報を抽出することを含む。
【００２７】
選択的に、前記ダウンリンク制御情報フォーマットの中での前記アップダウンリンク設定情報の位置は、
高位レイヤシグナリング、或いは事前定義された方式、或いはサービスセルインデックスとのマッピング関係、或いはキャリア指示制御ドメイン（CIF）とのマッピング関係、或いはチャネル状態情報を取得するための基準信号の設定パラメータ（CSI-RS-Config）とのマッピング関係の中の少なくとも1種によって確定される。
【００２８】
好ましくは、前記ダウンリンク制御情報フォーマットの中での前記アップダウンリンク設定情報の位置とは、前記ダウンリンク制御情報フォーマットにおける制御ドメインのインデックス値を指す。
【００２９】
上記の技術問題を解決するために、本発明は基地局を更に提供し、該基地局は、
ユーザー装置（UE）にダウンリンク制御情報フォーマットを送信し、その中にアップダウンリンク設定を指示するためのアップダウンリンク設定情報を携えるように設置される制御情報送信モジュールを備える。
【００３０】
上記の技術問題を解決するために、本発明はユーザー装置を更に提供し、該ユーザー装置は、
候補の探索空間において物理ダウンリンク制御チャネルのブラインドの検出を行い、前記ダウンリンク制御情報フォーマットを取得し、その中にアップダウンリンク設定を指示するためのアップダウンリンク設定情報を携えるように設置されるブラインド検出モジュール、及び
前記ダウンリンク制御情報フォーマットの中でのアップダウンリンク設定情報の位置に基づき、前記アップダウンリンク設定情報を抽出するように設置される情報抽出モジュールを含む。
【発明の効果】
【００３１】
本発明の実施例におけるアップダウンリンク設定情報通知、取得方法、基地局及びユーザー装置はダウンリンク制御情報フォーマットを利用してアップダウンリンク設定を指示するためのアップダウンリンク設定情報を携え、端末に現在セルが使用しているアップダウンリンク設定を高速に通知する目的を達成し、且つ付加の物理層リソースを占用せず、遅延が小さく、ブラー問題が存在しない。
【図面の簡単な説明】
【００３２】
【図１】図1はLTEシステムの第二種のフレーム構造模式図である。
【図２】図2は本発明の実施例の1つの模式図である
【図３】図3は本発明の実施例の他の模式図である。
【図４】図4は本発明の実施例の他の模式図である。
【図５】図5は本発明の実施例の他の模式図である。
【図６】図6は本発明の実施例の他の模式図である。
【図７】図7は本発明の実施例の他の模式図である。
【図８】図8は本発明の実施例の他の模式図である。
【図９】図9は本発明の実施例の他の模式図である。
【図１０】図10は本発明の実施例の他の模式図である。
【図１１】図11は本発明におけるアップダウンリンク設定情報の取得方法実施例を示す模式図である。
【図１２】図12は本発明における基地局実施例を示すモジュール構造模式図である。
【図１３】図13は本発明におけるユーザー装置実施例を示すモジュール構造模式図である。
【発明を実施するための形態】
【００３３】
発明者は研究を通じて、SIB（System Information Block）/RRC（Radio Resource Control）/MAC（Medium Access Control）等の高位レイヤシグナリングの周期が比較的に長く、遅延が大きく、且つ端末と基地局の間にシグナリングの実行時間に対する理解が一致しないブラー問題が存在し、アップダウンリンク動的再設定の要求を満たすことができないことを発見する。物理層シグナリングによってアップダウンリンク設定を通知する主な利点は遅延が小さく、且つブラー問題が存在しないことにある。しかしながら、物理層シグナリングを使用するのは、付加の物理層リソースを占用する必要があり、物理層制御シグナリングのオーバーヘッドを増加するという欠点も存在する。
【００３４】
これを鑑みて、本発明は新しいアップダウンリンク設定情報通知方法及びアップダウンリンク設定情報取得方法を提供し、ダウンリンク制御情報フォーマットを利用してアップダウンリンク設定を指示するためのアップダウンリンク設定情報を携える。
【００３５】
以下、図面を参照して本発明の技術的解決手段をより詳しく説明する。なお、衝突しない場合に、本出願の実施例及び実施例における特徴を任意に組み合わせることができる。
【００３６】
実施例1
アップダウンリンク設定を動的調整する機能を有するUEに対して、基地局は高位レイヤシグナリングによって専有のRNTI（無線ネットワーク一時識別子, Radio Network Temporary Identifier）を設定し、TDD-RNTIとし、前記設定されたTDD-RNTIは従来の前記UEに設定したすべてのRNTIと異なり、
本実施例において、従来のダウンリンク制御情報フォーマット1A又は1Cの含まれたビット数が同じであるダウンリンク制御情報フォーマットを利用してアップダウンリンク設定情報をベアラし、本実施例においてダウンリンク制御情報フォーマット1Eと呼ばれ、図2に示すように、基地局が送信したダウンリンク制御情報フォーマットに含まれた情報ビットはアップダウンリンク設定情報を指示することに用いられ、従来のTDDシステムがサポートしたアップダウンリンク設定は合計で7種があるため、各3ビットで1グループとなり、それぞれアップダウンリンク設定を指示し、ダウンリンク制御情報フォーマット1A又は1Cに含まれたビット数はある帯域幅設定で3の整数倍ではないため、残りのビット（3ビットより小さい）を予約する。同時に、このような形式で、基地局は、また、UEのために、ユーザー装置が前記のダウンリンク制御情報フォーマットにおけるどの制御ドメインでアップダウンリンク設定情報を取得するかについて1つのインデックス値を設定し、ここで、TDD-indexとし、
本実施例における制御ドメインのインデックス値は、前記ダウンリンク制御情報フォーマットの中での前記アップダウンリンク設定情報の位置の具体的な表現である。
【００３７】
具体的に、高位レイヤシグナリング、或いは事前定義された方式、或いはサービスセルインデックスとのマッピング関係、或いはキャリア指示制御ドメイン（CIF）とのマッピング関係、或いはCSI-RS-config高位レイヤ設定パラメータとのマッピング関係によって確定されることができる。
【００３８】
具体的に、高位レイヤシグナリングによって確定される場合に、前記基地局は複数のUEのために同じ又は異なる制御ドメインのインデックス値を設定する。
【００３９】
UEが受信する際に、ダウンリンク制御情報フォーマット1Eに含まれたビット数に基づき、候補の探索空間において物理ダウンリンク制御チャネルのブラインド検出を行い、デコーディング後のCRCを含むダウンリンク制御情報を取得し、次に、基地局によって設定され、アップダウンリンク設定情報を検出するためのRNTIに基づき、CRCをスクランブル解除及びテストし、CRCテストが通過したとき、更に、高位レイヤ設定のTDD-indexに基づき、デコーディング後のダウンリンク制御情報フォーマットからTDD-indexに対応する制御ドメインを見つけることによって、対応なアップダウンリンク設定情報を取得する。
【００４０】
該実施例から分かるように、アップダウンリンク設定情報を携えたダウンリンク制御情報フォーマット1Eに含まれたビット数はダウンリンク制御情報フォーマット1Aと同じであってもよく、ダウンリンク制御情報フォーマット1Cと同じであってもよい。両者の違いは、ダウンリンク制御情報フォーマット1A及び1Cに含まれたビット数が異なるため、制御情報を携える能力も異なり、対応的に、ダウンリンク制御情報フォーマットの検出性能も異なることだけにある。同じアグリゲーションレベルの前提で、ダウンリンク制御情報フォーマットに含まれたビット数が少ないほど、検出性能がより良い。したがって、アップダウンリンク設定情報を携えたダウンリンク制御情報フォーマットに含まれたビット数を確定する場合に、携え能力及び検出性能の両方から1つを取る必要がある。
【００４１】
実施例2
実施例1の上で、基地局は複数のUEのために同じ動的アップダウンリンク設定調整専有のRNTI、及び同じTDD-indexを設定すると、前記複数のUEのアップダウンリンク設定が同じであるため、1グループのUEのために同じアップダウンリンク設定を設定する。
【００４２】
実施例3
実施例2の上で、複数のUEグループがあると、これらのUEグループのために同じ動的アップダウンリンク設定調整専有のRNTIを設定することができるが、異なるUEグループに対して、異なるTDD-indexを設定すると、1つのダウンリンク制御情報フォーマットに複数グループのUEのアップダウンリンク設定情報を携えることを実現でき、このような方式は1つのダウンリンク制御情報フォーマットに対して1つ又は1グループUEのアップダウンリンク設定情報のみを携える方式に対して、物理ダウンリンク制御チャネルのオーバーヘッドを大幅に低下させることができる。
【００４３】
実施例4
同時に動的アップダウンリンク設定調整能力とキャリアアグリゲーション能力を備えるUEに対して、基地局によりUEのために設定したこの2種の機能が同時にイネーブルする。
【００４４】
UEは同じアップダウンリンク設定をアグリゲーションするサービスセルがある際に、マスタサービスセルと副サービスセルのアップダウンリンク設定が同じであり、この場合、実施例1の方式を採用することができ、基地局は、UEのために、1つのインデックス値を設定し、これは、UEが前記のダウンリンク制御情報フォーマットにおけるどの制御ドメインでアップダウンリンク設定情報を取得するかを指示することに用いられ、前記アップダウンリンク設定情報は、アグリゲーションに参加したサービスセルに対していずれも適用する。UEは異なるアップダウンリンク設定をアグリゲーションするサービスセルがある際に、アグリゲーションに参加したそれぞれサービスセルのアップダウンリンク設定は異なることができ、この場合に、基地局は、UEのために、複数のインデックス値を設定し、これらは、それぞれUEが前記のダウンリンク制御情報フォーマットにおけるどの制御ドメインでそれぞれサービスセルに対応するアップダウンリンク設定情報を取得するかを指示することに用いられる。或いは、基地局とUEの両方はサービスセルインデックスと制御ドメインインデックスのマッピング関係を予約し、UEはこのマッピング関係に基づき前記のダウンリンク制御情報フォーマットの中で対応な位置においてそれぞれサービスセルに対応するアップダウンリンク設定情報を取得することを確定する。図3に示すように、基地局とUEの間にサービスセルインデックスと制御ドメインインデックスとのマッピング関係を予め予約し、UEはデコーディング後のダウンリンク制御情報フォーマットからアップダウンリンク設定を取得する場合に、この予め予約したマッピング関係に基づき、対応する制御ドメインを見つけ、それぞれサービスセルに対応するアップダウンリンク設定情報を取得する。
【００４５】
実施例5
同時に動的アップダウンリンク設定調整能力とキャリアアグリゲーション能力を備えるUEに対して、基地局によりUEのために設定したこの2種の機能が同時にイネーブルする。
【００４６】
UEは異なるアップダウンリンク設定をアグリゲーションするサービスセルがある際に、前記基地局はアグリゲーションに参加したサービスセルのアップダウンリンク設定情報を同一のダウンリンク制御情報フォーマットにベアラして、次に、マスタサービスセルの物理ダウンリンク制御チャネルにおいて送信し、或いは、前記基地局はアグリゲーションに参加したサービスセルのアップダウンリンク設定情報をそれぞれ異なるダウンリンク制御情報フォーマットにベアラし、次に、各自のサービスセルに対応する物理ダウンリンク制御チャネルにおいて送信し、或いは、前記基地局はアグリゲーションに参加したサービスセルのアップダウンリンク設定情報を事前定義されたダウンリンク制御情報フォーマットにベアラし、次に、事前定義された物理ダウンリンク制御チャネルにおいて送信する。
【００４７】
実施例6
従来のプロトコルにおいて、基地局は複数のCSI-RS-configを設定することによって複数のサービスセル又は伝送ノードのチャネル状態の測定をサポートすることができ、UEはこの設定パラメータに基づき対応するリソースにおいて（時間周波数コードリソースを含む）チャネル状態の測定を行う。このチャネル測定はCSI-RSに基づいて行う必要があるため、基地局は確実にこのCSI-RS-configに対応するリソースにおいてCSI-RSを送信した場合だけである際に、つまり該CSI-RS-configに対応する時間領域リソースはダウンリンクサブフレームである際に、UEが設定したCSI-RSリソースにおいて正確にチャネル測定を行う。
【００４８】
1つの動的調整アップダウンリンク設定をサポートするシステムにおいて、サブフレームの伝送方向は動的に変わることができるため、CSI-RSを設定したサブフレームがアップリンクサブフレームに変化したとき、UEはこのCSI-RS設定リソースに基づきCSI測定を行う際に、UEが測定して得られたCSIは不正確であるのは、基地局はCSI-RSを送信しない。UEは基地局にCSIを報告する際に、報告したCSIはある測定のCSIに基づいたものであり、多回のCSIの1つの平均に基づいたものである可能性があり、この場合に、報告したCSIは多回測定のCSIの1つの平均に基づいたものであると、現在メカニズムでは、UEは測定したCSIが有効（UEが該CSI-RS-configに対応する時間領域リソースはダウンリンクであるかどうかを分からない）であるかどうかを判断できなく、UEがCSIを報告するのはUEの実現行動であり、プロトコルは規定しないため、基地局側もUEが報告したCSIは確実にチャネル状態を反映するかどうかを判断できないため、基地局のスケジューリングを影響する。
【００４９】
本実施例において、基地局は1つのCSI-RS-configとTDD-indexの1つのマッピング関係を確立し、UEはこのマッピング関係に基づき、前記CSI-RS-configに対応するアップダウンリンク設定を見つけることができ、UEは前記CSI-RSに基づいて測定する場合に、まず該CSI-RSが有効であるかどうかを判断でき、該前記設定のCSI-RSが現在アップダウンリンク設定でアップリンクサブフレームであると、UEはCSI測定を行わないことができるため、UEが無効なCSIを報告することを回避する。
【００５０】
実施例7
従来のプロトコルにおいて、基地局は複数のQCL（Quasi Co-Location）設定パラメータアグリゲーションによってUEのマルチポイント協調伝送を設定し、複数の伝送ノードのアップダウンリンクの設定が異なる際に、基地局は1つのQCL設定パラメータとTDD-indexの1つのマッピング関係を確立し、UEはこのマッピング関係に基づき、前記QCL設定パラメータに対応するアップダウンリンク設定を見つけ、前記QCL設定パラメータに対応する伝送ノードを見つけたアップダウンリンク設定に相当する。
【００５１】
実施例8
該実施例8において、アップダウンリンク設定情報をベアラしたダウンリンク制御情報フォーマットに含まれたビット数は従来のダウンリンク制御情報フォーマット1A又は1Cに含まれたビット数が同じであり、本実施例においてダウンリンク制御情報フォーマット1Eと呼ばれ、基地局が送信したダウンリンク制御情報フォーマットの中の1つ又は複数の制御ドメインはアップダウンリンク設定情報を指示することに用いられ、その他の制御ドメインはアップダウンリンク設定情報を除いた制御情報を指示することに用いられ、図4に示すように、アップダウンリンク設定情報を指示するための制御ドメインは該ダウンリンク制御情報フォーマットの最も前面に固定されることができ、図5に示すように、該ダウンリンク制御情報フォーマットの最も後面に固定されることもでき、図6に示すように、高位レイヤシグナリングTDD-indexによって指示することもできる。また、その他の制御ドメインに携えた制御情報は、電力制御に関連する制御情報、チャネル測定に関連する制御情報、干渉測定に関連する制御情報、検知基準信号に関連する制御情報を含むが、これらに制限されない。
【００５２】
UEが受信する際に、ダウンリンク制御情報フォーマット1Eに含まれたビット数に基づき、候補の探索空間において物理ダウンリンク制御チャネルのブラインド検出を行い、デコーディング後のCRCを含むダウンリンク制御情報を取得し、次に、基地局によって設定された、アップダウンリンク設定情報を検出するためのRNTIに基づき、CRCをスクランブル解除及びテストし、CRCテストが通過したとき、更に、事前定義された位置、又は高位レイヤ設定のTDD-indexに基づき、デコーディング後のダウンリンク制御情報フォーマットからアップダウンリンク設定情報を見つける。前記UEは前記アップダウンリンク設定情報を取得した後に、更に、前記ダウンリンク制御情報フォーマットからその他のダウンリンク制御情報、例えば電力制御に関連する制御情報、チャネル測定に関連する制御情報、干渉測定に関連する制御情報、検知基準信号に関連する制御情報を取得する。
【００５３】
本実施例は同様に1つのダウンリンク制御情報フォーマットの中で1グループのUEのアップダウンリンク設定情報を送信でき、複数グループUEのアップダウンリンク設定情報を送信することもでき、実現設定方法は実施例2及び3と同様である。なお、本実施例におけるダウンリンク制御情報フォーマットでは、アップダウンリンク設定情報を携える以外、その他の制御情報、例えば電力制御に関連する制御情報、チャネル測定に関連する制御情報、干渉測定に関連する制御情報、検知基準信号に関連する制御情報を携えることもできる。動的アップダウンリンク設定調整をサポートするUE数は多くない場合に、アップダウンリンク設定情報を携えたダウンリンク制御情報フォーマットはその他の制御情報を携えることもでき、該ダウンリンク制御情報フォーマットの制御情報を携える能力を高める。
【００５４】
実施例9
該実施例において、アップダウンリンク設定情報をベアラしたダウンリンク制御情報フォーマットに含まれたビット数は従来のダウンリンク制御情報フォーマット1A又は1Cに含まれたビット数と同じであり、本実施例においてダウンリンク制御情報フォーマット1Eと呼ばれ、図7に示すように、基地局が送信したダウンリンク制御情報フォーマットの中の1つ又は複数の制御ドメインはアップダウンリンク設定情報を指示することに用いられ、その他の制御ドメインを予約する。アップダウンリンク設定情報を指示するための制御ドメインの位置は高位レイヤシグナリングTDD-indexによって指示されることができる。
【００５５】
UEが受信する際に、ダウンリンク制御情報フォーマット1Eに含まれたビット数に基づき、候補の探索空間において物理ダウンリンク制御チャネルのブラインド検出を行い、デコーディング後のCRCを含むダウンリンク制御情報を取得し、次に、基地局によって設定された、アップダウンリンク設定情報を検出するためのRNTIに基づき、CRCをスクランブル解除及びテストして、CRCテストが通過したとき、更に事前定義された位置において、又は高位レイヤによって設定されたTDD-indexに基づき、デコーディング後のダウンリンク制御情報フォーマットからアップダウンリンク設定情報を見つける。
【００５６】
本実施例は同様に1つのダウンリンク制御情報フォーマットの中で1グループのUEのアップダウンリンク設定情報を送信でき、複数グループUEのアップダウンリンク設定情報を送信することもでき、実現設定方法は実施例2及び3と同様である。本実施例におけるダウンリンク制御情報フォーマットでは、アップダウンリンク設定情報を携えることができる以外、その他制御ドメインが予約ビットとされる。動的アップダウンリンク設定調整をサポートするUE数が多くなく、且つその他の制御情報を携える必要がない場合に、前記のダウンリンク制御情報フォーマットにおける残りのビットを予め設定された値として設置でき、これらの予約されたビットは現在システムに使用されないが、後続バージョンのシステムに使用されることができるため、前方互換性を可能とする。或いは、その他の制御ドメインを予約ビットとして、且つ予め設定された値とし、これらの予約ビットを仮想CRCとすることができ、CRCの長さを増加することに相当するため、更にダウンリンク制御情報フォーマットの誤検出確率を低下せることができる。これらの予約ビットを仮想CRCとする場合に、予約ビットの数量及び位置に対して基地局とUEの両方により約束する必要がある。
【００５７】
実施例10
本実施例において、基地局は高位レイヤシグナリングによって動的アップダウンリンク設定調整専有のRNTIを設定し、TDD-RNTIとし、前記設定したTDD-RNTIは従来の前記UEのために設定した1つのRNTIと同じであり、
仮に前記TDD-RNTIは設定したTPC-PUCCH-RNTIと同じであると、アップダウンリンク設定情報をベアラしたダウンリンク制御情報フォーマットに含まれたビット数はTPC-PUCCH-RNTIに対応するダウンリンク制御情報フォーマットに含まれたビット数と異なる際に、ダウンリンク制御情報フォーマット3/3Aに含まれたビット数に等しくない際に、例えばダウンリンク制御情報フォーマット1Cに含まれたビット数を採用し、本実施例においてダウンリンク制御情報フォーマット1Eと呼ばれ、図8に示すように、基地局が送信したダウンリンク制御情報フォーマットは若干の制御ドメインを含み、各制御ドメインはアップダウンリンク設定情報を指示し、同時に、このような形式で、基地局は、また、UEのために、ユーザー装置が前記のダウンリンク制御情報フォーマットにおけるどの制御ドメインでアップダウンリンク設定情報を取得するかを指示することに用いられる、1つのインデックス値を設定し、ここでTDD-indexとし、或いは実施例1による方法を採用してTDD-indexを取得し、
UEが受信する際に、ダウンリンク制御情報フォーマット1Eに含まれたビット数に基づき、候補の探索空間において物理ダウンリンク制御チャネルのブラインド検出を行い、デコーディング後のCRCを含むダウンリンク制御情報を取得し、次に、基地局によって設定された、アップダウンリンク設定情報を検出するためのRNTI、ここで、つまりTPC-PUCCH-RNTIと同であるRNTIに基づき、CRCをスクランブル解除及びテストして、CRCテストが通過したとき、更に、高位レイヤによって設定されたTDD-indexに基づき、デコーディング後のダウンリンク制御情報フォーマットからTDD-indexに対応する制御ドメインを見つけ、対応するアップダウンリンク設定情報を取得する。
【００５８】
本実施例において、UEのTDD-RNTIはUEのTPC-PUCCH-RNTIと同じであるが、CRCはこのRNTIスクランブリングを使用した2つのダウンリンク制御情報フォーマットに含まれたビット数が等しくなく、UEが検出する際に、異なる形式に含まれたビット数の違いによってこの2種の異なるダウンリンク制御情報フォーマットを区別でき、含まれたビット数が等しい2つのダウンリンク制御情報フォーマットに対して、例えばこの例では、いずれも形式1Cに含まれたビット数であると、CRCスクランブリング時に使用された異なるRNTIによってスクランブリングすることができ、あるものはSI-RNTIを用いてスクランブリングし、あるものはTPC-PUCCH-RNTIを用いてスクランブリングし、UEが検出する際に、CRCに対して異なるスクランブル解除を行うことによって異なるダウンリンク制御情報フォーマットを区別する。このような方法は実施例1による方法と比べて、RNTIリソースのオーバーヘッドを節約し、動的アップダウンリンク設定調整をサポートするUEグループとTPC電力制御調整のUEグループをバインディングした制限がある。いくつかのアプリケーションシナリオで、例えばマルチポイント協調が伝送したシナリオで、異なる伝送点でのTPC電力調整UEグループは、動的アップダウンリンク設定調整をサポートするUEグループとは、大きな結合性があり、このようなシナリオで、動的アップダウンリンク設定調整をサポートするUEグループとTPC電力調整をサポートするUEグループをバインディングしても合理的であるため、RNTIのリソースオーバーヘッドを節約できる。
【００５９】
実施例1と同様で、実施例10に対応するシナリオで、具体的な実施例2〜9の切り換え可能な方案は同様に適用し、ここで説明しない。
【００６０】
実施例11
アップダウンリンク設定を動的調整する機能を有するUEに対して、基地局は高位レイヤシグナリングによって動的アップダウンリンク設定調整専有のRNTIを設定し、TDD-RNTIとし、前記設定したTDD-RNTIは従来の前記UEのために設定した1つのRNTIと同じであり、
仮に前記TDD-RNTIは設定したTPC-PUCCH-RNTIと同じであると、図9に示すように、アップダウンリンク設定情報をベアラしたダウンリンク制御情報フォーマットに含まれたビット数はTPC-PUCCH-RNTIに対応するダウンリンク制御情報フォーマットに含まれたビット数とも同じである際に、つまりダウンリンク制御情報フォーマット3/3Aに含まれたビット数に等しい。この場合に、前記ダウンリンク制御情報フォーマットは本来のTPC-PUCCH-RNTIに対応した電力制御命令情報を含む以外、アップダウンリンク設定情報を含み、つまり、前記ダウンリンク制御情報フォーマットが含まれた若干の制御ドメインは、その中の1つの制御ドメインはアップダウンリンク設定情報を指示することに用いられ、その他の制御ドメインは既存の制御情報を指示することに用いられる。この場合に、アップダウンリンク設定を動的調整する機能を有するUEに対して、基地局はUEのために1つ
のインデックス値TDD-indexを付加設定する必要があり、これは、ユーザー装置が前記のダウンリンク制御情報フォーマットにおけるどの位置でアップダウンリンク設定情報を取得することを指示することに用いられ、
UEが受信する際に、ダウンリンク制御情報フォーマット3/3Aに含まれたビット数に基づき、候補の探索空間において物理ダウンリンク制御チャネルのブラインド検出を行い、デコーディング後のCRCを含むダウンリンク制御情報を取得し、次に、TPC-PUCCH-RNTIに基づき、CRCをスクランブル解除及びテストして、CRCテストが通過したとき、更に、高位レイヤによって設定されたTDD-indexに基づき、デコーディング後のダウンリンク制御情報フォーマットからアップダウンリンク設定情報を見つける。アップダウンリンク設定を動的調整するUEに対して、3/3AにはTPC-indexに基づき電力制御調整パラメータを取得する以外、3/3Aの中でTDD-indexに基づきアップダウンリンク設定情報を取得する。
【００６１】
このような方式を採用して、基地局設定の方式によって、電力制御命令とアップダウンリンク設定情報を同一のダウンリンク制御情報フォーマットの中で多重化することを実現でき、且つこのような方式は古いバージョンがアップダウンリンク設定を動的調整するUEをサポートしない及びアップダウンリンク設定を動的調整するUEをサポートする制御情報の多重化を実現する。なお、TPC-indexに対して、電力制御命令は1ビットであってもよいし、2ビットであってもよいため、UEはTPC-indexに基づき電力制御命令を取得する際に、1又は2ビットをステップ長としてデコーディング後のダウンリンク制御情報フォーマットを読み取り、アップダウンリンク設定情報に対して、3ビットで指示する必要があるため、UEはTDD-indexに基づきアップダウンリンク設定情報を取得する際に、3ビットをステップ長としてデコーディング後のダウンリンク制御情報フォーマットを読み取る。基地局は3/3Aを送信する及びTDD-indexとTPC-indexを設定する際に、合理的に設定する必要があり、衝突を回避する。
【００６２】
実施例1と同様に、実施例11に対応したシナリオで、具体的な実施例2、3、4、5、6、7の切り換え可能な方案は同様に適用し、ここで説明しない。
【００６３】
実施例12
本実施例において、前記TDD-RNTIは設定したSI-RNTIと同じであり、図10に示すように、アップダウンリンク設定情報をベアラしたダウンリンク制御情報フォーマットに含まれたビット数はSI-RNTIに対応するダウンリンク制御情報フォーマットに含まれたビット数とも同じであり、つまりダウンリンク制御情報フォーマット1Aに含まれたビット数に等しい。この場合に、前記ダウンリンク制御情報フォーマットは本来のSI-RNTIに対応した電力制御命令情報を含むとともに、アップダウンリンク設定情報も含み、つまり、前記ダウンリンク制御情報フォーマットが含まれた若干の制御ドメインは、その中の1つの制御ドメインはアップダウンリンク設定情報を指示することに用いられ、その他の制御ドメインは既存の制御情報を指示することに用いられる。この場合に、基地局は予約された制御ドメインにおいてアップダウンリンク設定情報を送信し、ダウンリンク制御情報フォーマット1AはSI-RNTIスクランブリングを採用する場合に、HARQプロセスID及びダウンリンク配分インデックスの2つの制御ドメインを予約し、基地局はこの2つの制御ドメインにおいてアップダウンリンク設定情報を送信することができる。
【００６４】
UEが受信する際に、ダウンリンク制御情報フォーマット1Aに含まれたビット数に基づき、候補の探索空間において物理ダウンリンク制御チャネルのブラインド検出を行い、デコーディング後のCRCを含むダウンリンク制御情報を取得し、次に、SI-RNTIに基づき、CRCをスクランブル解除及びテストして、CRCテストが通過したとき、更に、予約した制御ドメインにおいて、デコーディング後のダウンリンク制御情報フォーマットからアップダウンリンク設定情報を見つけ、同時にダウンリンク制御情報フォーマット1Aに携えたその他の制御情報を取得する。
【００６５】
このような方式を採用し、基地局は一定のスケジューリング制限によって従来のダウンリンク制御情報フォーマットから3ビットをアイドルアウトしてアップダウンリンク設定情報を携え、或いは従来のダウンリンク制御情報フォーマットから一定のシナリオで予約した制御ドメインにアップダウンリンク設定情報を携え、このように、いずれかのオーバーヘッドを増加しない上で、アップダウンリンク設定情報の通知を実現する。
【００６６】
実施例1と同様に、実施例12に対応したシナリオで、具体実施例2の切り換え可能な方案は同様に適用し、ここで説明しない。
【００６７】
本発明のすべての実施例において、アップダウンリンク設定情報を携えたダウンリンク制御情報フォーマットは物理ダウンリンク制御チャネルによって送信される。前記物理ダウンリンク制御チャネルは、公有の探索空間において送信でき、或いは公有の探索空間と専有の探索空間において送信し、或いはキャリアアグリゲーションシステムにおいて、マスタサービスセルの公共探索空間において送信し、或いはそれぞれのサービスセルに対応する専有の探索空間とマスタサービスセルの公有の探索空間において送信することができる。
【００６８】
以下、それぞれ基地局及びユーザー装置の角度から本発明の方法を説明し、
本発明におけるアップダウンリンク設定情報通知方法において、基地局はユーザー装置（UE、User Equipment）にダウンリンク制御情報フォーマットを送信し、その中にアップダウンリンク設定を指示するためのアップダウンリンク設定情報を携える。
【００６９】
即ち、本発明において、ダウンリンク制御情報フォーマットをアップダウンリンク設定情報をベアラするための有効物理層シグナリングとする。
【００７０】
アップダウンリンク設定を動的調整する機能を有するUEだけは該アップダウンリンク設定情報を携えたダウンリンク制御情報フォーマットを受信する。
【００７１】
具体的に、前記基地局は物理ダウンリンク制御チャネルによって前記ダウンリンク制御情報フォーマットを送信する。
【００７２】
本文に言われたダウンリンク制御情報フォーマットの周期的冗長検査（CRC：Cyclic Redundancy Check ）は事前定義された無線ネットワーク一時識別子（RNTI：Radio Network Temporary Identifier）を使用してスクランブリングし、前記事前定義されたRNTIはアップダウンリンク設定を動的調整する機能を有するUEの専有のRNTI又は既存のRNTIであり、前記既存のRNTIはシステム情報（SI：System Information）RNTI（SI-RNTI）、ページング（P：Paging）RNTI（P-RNTI）、ランダムアクセス（RA：Random Access）RNTI（RA-RNTI）、電力制御命令（TPC：Transmit Power Command）RNTI（TPC-PUCCH-RNTI、TPC-PUSCH-RNTIを含む）、セル（C：Cell）RNTI（C-RNTI）を含むが、これらに制限されない。
【００７３】
選択的に、前記基地局は、
高位レイヤシグナリング通知の方式1、
ユーザー装置専有の伝送モードを設定する方式2、
ユーザー装置が動的アップダウンリンク設定調整モードに入ることを活性化する方式3の中の1種によって前記UEに前記RNTIに基づきアップダウンリンク設定情報の検出を行うことを通知し、
選択的に、前記基地局は複数のユーザー装置のために同じ動的アップダウンリンク設定調整専有のRNTIを設定することができる。
【００７４】
好ましくは、本発明における前記のダウンリンク制御情報フォーマットに含まれたビット数は従来の予め定義されたダウンリンク制御情報フォーマットの中の１種の形式に含まれたビット数に等しく、物理ダウンリンク制御情報フォーマットをブラインド検出する回数の増加を避ける。
【００７５】
前記のダウンリンク制御情報フォーマットは若干の制御ドメインを含み、少なくとも1つの制御ドメインはアップダウンリンク設定情報を携えることに用いられる。
【００７６】
好ましくは、前記ダウンリンク制御情報フォーマットは、
形式１、前記ダウンリンク制御情報フォーマットは若干の制御ドメインを含み、各制御ドメインはアップダウンリンク設定を指示し、以下の形式の1つを採用し、
前記ダウンリンク制御情報フォーマットにおいて少なくとも1つの制御ドメインはアップダウンリンク設定情報を携えることに用いられ、及び少なくとも1つの制御ドメインは既存の制御情報を指示することに用いられる又は新しく増加した制御情報を指示することに用いられる又は事前定義値とする。好ましくは、以下の形式2〜4の中の任意の1種を採用でき、
形式2、前記ダウンリンク制御情報フォーマットに含まれた若干の制御ドメインの中で、1つ又は複数の制御ドメインはアップダウンリンク設定情報を指示することに用いられ、その他の制御ドメインはアップダウンリンク設定情報を除いた制御情報（例えば新しく増加した制御情報）を指示することに用いられ、
形式3、前記ダウンリンク制御情報フォーマットに含まれた若干の制御ドメインの中で、1つの制御ドメインはアップダウンリンク設定情報を指示することに用いられ、その他の制御ドメインは既存の制御情報を指示することに用いられ、
形式4、前記ダウンリンク制御情報フォーマットに含まれた若干の制御ドメインの中で、1つ又は複数の制御ドメインはアップダウンリンク設定情報を指示することに用いられ、その他の制御ドメインを予め定義された状態値とする。
【００７７】
更に、前記のアップダウンリンク設定情報は前記UEの1つ又は複数のサービスセルのアップダウンリンク設定情報（キャリアアグリゲーションのシナリオで）であってよいし、或いは前記UEのサービスセル内の1つ又は複数の伝送ノード（マルチポイント協調伝送（CoMP）モードで）のアップダウンリンク設定情報であってよいし、UEの隣接するセル（UEのサービスセルを除いたその他のセル）のアップダウンリンク設定情報であってもよい。
【００７８】
好ましくは、キャリアアグリゲーションシステムにおいて、前記基地局はアグリゲーションに参加したサービスセルのアップダウンリンク設定情報を同一のダウンリンク制御情報フォーマットにベアラし、且つマスタサービスセルの物理ダウンリンク制御チャネルに送信し、或いは、前記基地局はアグリゲーションに参加したサービスセルのアップダウンリンク設定情報をそれぞれ異なるダウンリンク制御情報フォーマットにベアラし、且つそれぞれ各自のサービスセル対応な物理ダウンリンク制御チャネルに送信し、或いは、前記基地局はアグリゲーションに参加したサービスセルのアップダウンリンク設定情報を事前定義されたダウンリンク制御情報フォーマットにベアラし、且つ事前定義された物理ダウンリンク制御チャネルにおいて送信する。
【００７９】
更に、前記ダウンリンク制御情報フォーマットの中での前記アップダウンリンク設定情報の位置は、
高位レイヤシグナリング、或いは事前定義された方式、或いはサービスセルインデックスとのマッピング関係、或いはキャリア指示制御ドメイン（CIF）とのマッピング関係、或いはCSI-RS-config設定パラメータとのマッピング関係、或いはQuasi co location（Quasi Co-Location、QCL）設定パラメータとのマッピング関係の任意の1種の方式によって確定されることができ、
前記アップダウンリンク設定情報を除いた制御情報は、電力制御に関連する制御情報、チャネル測定に関連する制御情報、干渉測定に関連する制御情報、検知基準信号に関連する制御情報を含むが、これらに制限されなく、
好ましくは、前記の各制御ドメインは3ビットを含み、残りのビット（3ビットより小さい）を予約し、前記の各制御ドメインの3ビットは既存の時分割二重システムにおける7種のアップダウンリンク設定の一つに対応する。
【００８０】
更に、前記物理ダウンリンク制御チャネルは、公有の探索空間において送信でき、或いは公有の探索空間と専有の探索空間において送信し、或いはキャリアアグリゲーションシステムにおいて、マスタサービスセルの公共探索空間において送信し、或いは各サービスセルに対応する専有の探索空間とマスタサービスセルの公有の探索空間において送信する。
【００８１】
以上のように、基地局から本発明アップダウンリンク設定情報通知方法を説明したが、以下で、ユーザー装置（UE）側から本発明におけるアップダウンリンク設定情報の取得方法を説明する。
【００８２】
本発明におけるアップダウンリンク設定情報の取得方法は、図11に示すように、該方法は、以下を含み、
ステップ111、ユーザー装置（UE）は候補の探索空間において物理ダウンリンク制御チャネルのブラインドの検出を行い、前記ダウンリンク制御情報フォーマットを取得し、アップダウンリンク設定を指示するためのアップダウンリンク設定情報を携え、
選択的に、前記の候補探索空間は公有の探索空間であってもよく、或いは公有の探索空間と専有の探索空間であり、或いはキャリアアグリゲーションする際に、マスタサービスセルの公有の探索空間であり、或いは各サービスセルに対応する専有の探索空間とマスタサービスセルの公有の探索空間である。
【００８３】
前記アップダウンリンク設定情報を携えたダウンリンク制御情報フォーマットに含まれたビット数は従来の予め定義されたダウンリンク制御情報フォーマットの中の1種の形式に含まれたビット数に等しい。
【００８４】
前記UEはブラインド検出を行う際に、RNTIに基づく必要があり、該RNTIは基地局が高位レイヤシグナリングによって前記ユーザー装置のために設定した動的アップダウンリンク設定調整専有のRNTIであり、或いは、前記ユーザー装置の既存のアップダウンリンク設定情報を検出するためのRNTIであり、前記RNTIはSI-RNTI、P-RNTI、RA-RNTI、TPC-PUCCH-RNTI、TPC-PUSCH-RNTI、C-RNTIを含むが、これらに制限されない。
【００８５】
ステップ112、前記UEは、前記ダウンリンク制御情報フォーマットの中でのアップダウンリンク設定情報の位置に基づき、前記アップダウンリンク設定情報を抽出する。
【００８６】
前記ダウンリンク制御情報フォーマットの中での前記アップダウンリンク設定情報の位置は、
ユーザー装置は、高位レイヤシグナリング、或いは事前定義された方式、或いはサービスセルインデックスとのマッピング関係、或いはキャリア指示制御ドメイン（CIF）とのマッピング関係、或いはCSI-RS-config設定パラメータとのマッピング関係、或いはQCL高位レイヤ設定パラメータとのマッピング関係の中の少なくとも1種によって確定される。
【００８７】
好ましくは、前記ダウンリンク制御情報フォーマットの中での前記アップダウンリンク設定情報の位置とは、前記ダウンリンク制御情報フォーマットにおける制御ドメインのインデックス値を指す。
【００８８】
好ましくは、キャリアアグリゲーションシナリオで、すべてのアグリゲーションに参加するサービスセルのアップダウンリンク設定情報を同一のダウンリンク制御情報フォーマットにベアラし、或いは、キャリアアグリゲーションシナリオで、すべてのアグリゲーションに参加するサービスセルのアップダウンリンク設定情報を異なるダウンリンク制御情報フォーマットにベアラし、或いは、キャリアアグリゲーションシナリオで、前記アグリゲーションに参加したサービスセルのアップダウンリンク設定を各自のサービスセル対応なダウンリンク制御情報フォーマットにベアラし、
選択的に、前記UEは前記アップダウンリンク設定情報を取得した後に、また前記ダウンリンク制御情報フォーマットからその他のダウンリンク制御情報を取得し、具体的に、電力制御に関連する制御情報、チャネル測定に関連する制御情報、干渉測定に関連する制御情報、検知基準信号に関連する制御情報を含み、
上記の方法を実現するために、本発明は基地局を提供し、図12に示すように、該基地局は、
ユーザー装置（UE）にダウンリンク制御情報フォーマットを送信し、その中にアップダウンリンク設定を指示するためのアップダウンリンク設定情報を携えるための制御情報送信モジュールを備える。
【００８９】
選択的に、該基地局は、RNTIを設定することに用いられ、複数のUEのために設定したアップダウンリンク設定専有の無線ネットワーク一時識別子（RNTI）が同じである設定モジュールを更に備える。
【００９０】
更に、前記ダウンリンク制御情報フォーマットは若干の制御ドメインを含み、少なくとも1つの制御ドメインは前記アップダウンリンク設定情報を携えることに用いられる。
【００９１】
好ましくは、前記各制御ドメインは1種のアップダウンリンク設定を指示する。
【００９２】
選択的に、前記ダウンリンク制御情報フォーマットの少なくとも1つの制御ドメインは既存の制御情報を指示することに用いられる又は新しく増加した制御情報を指示することに用いられる又は事前定義値とする。
【００９３】
前記ダウンリンク制御情報フォーマットの中での前記アップダウンリンク設定情報の位置は、
高位レイヤシグナリング、或いは事前定義された方式、或いはサービスセルインデックスとのマッピング関係、或いはキャリア指示制御ドメイン（CIF）とのマッピング関係、或いはCSI-RS-config設定パラメータとのマッピング関係、或いはQCL設定パラメータとのマッピング関係の任意の1種の方式によって確定される。
【００９４】
好ましくは、前記ダウンリンク制御情報フォーマットの中での前記アップダウンリンク設定情報の位置とは、前記ダウンリンク制御情報フォーマットにおける制御ドメインのインデックス値を指す。
【００９５】
上記の技術問題を解決するために、本発明はユーザー装置を更に提供し、図13に示すように、該ユーザー装置は、
候補の探索空間において物理ダウンリンク制御チャネルのブラインドの検出を行い、前記ダウンリンク制御情報フォーマットを取得し、その中にアップダウンリンク設定を指示するためのアップダウンリンク設定情報を携えるためのブラインド検出モジュールと、及び
前記ダウンリンク制御情報フォーマットの中でのアップダウンリンク設定情報の位置に基づき、前記アップダウンリンク設定情報を抽出するための情報抽出モジュールを備える。
【００９６】
前記ダウンリンク制御情報フォーマットの中での前記アップダウンリンク設定情報の位置は、
高位レイヤシグナリング、或いは事前定義された方式、或いはサービスセルインデックスとのマッピング関係、或いはキャリア指示制御ドメイン（CIF）とのマッピング関係、或いはCSI-RS-config高位レイヤ設定パラメータとのマッピング関係、或いはQCL設定パラメータとのマッピング関係の少なくとも1種によって確定される。
【００９７】
好ましくは、前記ダウンリンク制御情報フォーマットの中での前記アップダウンリンク設定情報の位置とは、前記ダウンリンク制御情報フォーマットにおける制御ドメインのインデックス値を指す。
【００９８】
選択的に、キャリアアグリゲーションシナリオで、すべてのアグリゲーションに参加するサービスセルのアップダウンリンク設定情報を同一のダウンリンク制御情報フォーマットにベアラし、或いは、キャリアアグリゲーションシナリオで、すべてのアグリゲーションに参加するサービスセルのアップダウンリンク設定情報を異なるダウンリンク制御情報フォーマットにベアラし、或いは、キャリアアグリゲーションシナリオで、前記アグリゲーションに参加したサービスセルのアップダウンリンク設定を各自のサービスセル対応なダウンリンク制御情報フォーマットにベアラする。
【００９９】
以上のように、本発明の好ましい例示だけであり、本発明の保護範囲を限定するものではない。本発明の精神と原則にある限り、行われたいずれの修正、等価切り替え、改善等は、いずれも本発明の保護範囲に含まれる。
【産業上の利用可能性】
【０１００】
本発明の実施例におけるアップダウンリンク設定情報通知、取得方法、基地局及びユーザー装置はダウンリンク制御情報フォーマットを利用してアップダウンリンク設定を指示するためのアップダウンリンク設定情報を携え、端末に現在セルが使用しているアップダウンリンク設定を高速に通知する目的を達成し、且つ付加の物理層リソースを占用せず、遅延が小さく、ブラー問題が存在しない。
【図１】
2016529796.tif 000004
【図２】
2016529796.tif 000005
【図３】
2016529796.tif 000006
【図４】
2016529796.tif 000007
【図５】
2016529796.tif 000008
【図６】
2016529796.tif 000009
【図７】
2016529796.tif 000010
【図８】
2016529796.tif 000011
【図９】
2016529796.tif 000012
【図１０】
2016529796.tif 000013
【図１１】
2016529796.tif 000014
【図１２】
2016529796.tif 000015
【図１３】
2016529796.tif 000016
【手続補正書】
【提出日】平成28年2月25日(2016.2.25)
【手続補正１】
【補正対象書類名】特許請求の範囲
【補正対象項目名】全文
【補正方法】変更
【補正の内容】
【特許請求の範囲】
【請求項１】
アップダウンリンク設定情報の通知方法であって、
基地局はユーザー装置（UE）にダウンリンク制御情報フォーマットを送信し、前記ダウンリンク制御情報フォーマットに、アップダウンリンク設定を指示するためのアップダウンリンク設定情報を携えることを含む通知方法。
【請求項２】
ダウンリンク制御情報フォーマットを送信する前に、前記基地局は更に無線ネットワーク一時識別子（RNTI）を設定することに用いられ、且つ前記基地局は複数のUEのために同じ又は異なるアップダウンリンク設定の専有のRNTIを設定することを更に含む請求項1に記載の方法。
【請求項３】
前記基地局は、
高位レイヤシグナリングによって通知する方式、
前記UE専有の伝送モードを設定する方式、及び
前記UEが動的アップダウンリンク設定調整モードに入ることを活性化する方式の中の1種によって、RNTIに基づきアップダウンリンク設定情報の検出を前記UEに通知することをさらに含む請求項1に記載の方法。
【請求項４】
前記ダウンリンク制御情報フォーマットは若干の制御ドメインを含み、その中の少なくとも1つの制御ドメインは前記アップダウンリンク設定情報を携えることに用いられ、
好ましいのは、前記各制御ドメインは1種のアップダウンリンク設定を指示し、
さらに好ましいのは、前記ダウンリンク制御情報フォーマットの少なくとも1つの制御ドメインは既存の制御情報を指示することに用いられる又は新しく増加した制御情報を指示することに用いられる又は事前定義値に設定される
請求項1に記載の方法。
【請求項５】
前記アップダウンリンク設定情報は、
前記UEの1つ又は複数のサービスセルのアップダウンリンク設定情報、
前記UEのサービスセル内の1つ又は複数の伝送ノードのアップダウンリンク設定情報、及び
前記UEのサービスセルの隣接するサービスセルのアップダウンリンク設定情報の中の少なくとも1つであり、
又は
キャリアアグリゲーションシステムにおいて、
すべてのアグリゲーションに参加するサービスセルのアップダウンリンク設定情報は同一のダウンリンク制御情報フォーマットにベアラされて、マスタサービスセルの物理ダウンリンク制御チャネルによって送信され、
又は、すべてのアグリゲーションに参加するサービスセルのアップダウンリンク設定情報はそれぞれ異なるダウンリンク制御情報フォーマットにベアラされて、それぞれ各自のサービスセルに対応する物理ダウンリンク制御チャネルによって送信され、
又は、すべてのアグリゲーションに参加するサービスセルのアップダウンリンク設定情報は事前定義されたダウンリンク制御情報フォーマットにベアラされて、事前定義された物理ダウンリンク制御チャネルによって送信され、
又は
前記基地局は物理ダウンリンク制御チャネルによって前記ダウンリンク制御情報フォーマットを送信し、前記物理ダウンリンク制御チャネルは公有の探索空間において送信され、或いは公有の探索空間と専有の探索空間において送信され、或いはキャリアアグリゲーションシステムにおいて、マスタサービスセルの公共探索空間において送信され、或いは各サービスセルに対応する専有の探索空間とマスタサービスセルの公有の探索空間において送信される
請求項1に記載の方法。
【請求項６】
前記アップダウンリンク設定情報の前記ダウンリンク制御情報フォーマットにおける位置は、
高位レイヤシグナリング、或いは事前定義された方式、或いはサービスセルインデックスとのマッピング関係、或いはキャリア指示制御ドメイン（CIF）とのマッピング関係、或いはチャネル状態情報を取得するための基準信号の設定パラメータ（CSI-RS-Config）とのマッピング関係、或いはQuasi co location（QCL）設定パラメータとのマッピング関係の中の任意の1種によって確定される請求項1に記載の方法。
【請求項７】
前記ダウンリンク制御情報フォーマットの中での前記アップダウンリンク設定情報の位置とは、前記ダウンリンク制御情報フォーマットにおける制御ドメインのインデックス値を指す請求項6に記載の方法。
【請求項８】
前記基地局は複数のUEのために同じ又は異なる制御ドメインのインデックス値を設定する請求項7に記載の方法。
【請求項９】
アップダウンリンク設定情報の取得方法であって、
ユーザー装置（UE）が候補の探索空間において物理ダウンリンク制御チャネルのブラインドの検出を行い、前記ダウンリンク制御情報フォーマットを取得し、その中にアップダウンリンク設定を指示するためのアップダウンリンク設定情報を携えること、及び
前記UEはアップダウンリンク設定情報の前記ダウンリンク制御情報フォーマットにおける位置に基づき、前記アップダウンリンク設定情報を抽出することを含むアップダウンリンク設定情報の取得方法。
【請求項１０】
前記アップダウンリンク設定情報の前記ダウンリンク制御情報フォーマットにおける位置は、
高位レイヤシグナリング、或いは事前定義された方式、或いはサービスセルインデックスとのマッピング関係、或いはキャリア指示制御ドメイン（CIF）とのマッピング関係、或いはチャネル状態情報を取得するための基準信号の設定パラメータ（CSI-RS-Config）とのマッピング関係、或いはQuasi co location（QCL）設定パラメータとのマッピング関係の少なくとも1種によって確定される請求項9に記載の方法。
【請求項１１】
前記アップダウンリンク設定情報の前記ダウンリンク制御情報フォーマットにおける位置とは前記ダウンリンク制御情報フォーマットにおける制御ドメインのインデックス値を指す請求項10に記載の方法。
【請求項１２】
キャリアアグリゲーションシナリオで、すべてのアグリゲーションに参加するサービスセルのアップダウンリンク設定情報を同一のダウンリンク制御情報フォーマットにベアラし、或いは、キャリアアグリゲーションシナリオで、すべてのアグリゲーションに参加するサービスセルのアップダウンリンク設定情報を異なるダウンリンク制御情報フォーマットにベアラし、或いは、キャリアアグリゲーションシナリオで、前記アグリゲーションに参加するサービスセルのアップダウンリンク設定を各自のサービスセルに対応するダウンリンク制御情報フォーマットにベアラし、
又は
前記候補探索空間は公有の探索空間であり、或いは公有の探索空間と専有の探索空間であり、或いはキャリアアグリゲーションの際に、マスタサービスセルの公有の探索空間であり、或いは各サービスセルに対応する専有の探索空間とマスタサービスセルの公有の探索空間である
請求項9に記載の方法。
【請求項１３】
基地局であって、
ユーザー装置（UE）にダウンリンク制御情報フォーマットを送信し、その中にアップダウンリンク設定を指示するためのアップダウンリンク設定情報を携えるように設定される制御情報送信モジュールを備える基地局。
【請求項１４】
無線ネットワーク一時識別子（RNTI）を設定して、且つ複数のUEのために同じ又は異なるアップダウンリンク設定専有のRNTIを設定するように設定される設定モジュールを更に備え、
又は
前記ダウンリンク制御情報フォーマットは若干の制御ドメインを含み、その中の少なくとも1つの制御ドメインは前記アップダウンリンク設定情報を携えることに用いられる
請求項13に記載の基地局。
【請求項１５】
前記制御ドメイン毎に一種のアップダウンリンク設定を指示し、
好ましいのは、前記ダウンリンク制御情報フォーマットの少なくとも1つの制御ドメインは既存の制御情報を指示することに用いられる又は新しく増加した制御情報を指示することに用いられる又は事前定義値に設定される
請求項13に記載の基地局。
【請求項１６】
前記アップダウンリンク設定情報の前記ダウンリンク制御情報フォーマットにおける位置は、
高位レイヤシグナリング、或いは事前定義された方式、或いはサービスセルインデックスとのマッピング関係、或いはキャリア指示制御ドメイン（CIF）とのマッピング関係、或いはチャネル状態情報を取得するための基準信号の設定パラメータ（CSI-RS-Config）とのマッピング関係の中の任意の1種によって確定される請求項13に記載の基地局。
【請求項１７】
前記アップダウンリンク設定情報の前記ダウンリンク制御情報フォーマットにおける位置とは前記ダウンリンク制御情報フォーマットにおける制御ドメインのインデックス値を指す請求項16に記載の基地局。
【請求項１８】
ユーザー装置であって、
候補の探索空間において物理ダウンリンク制御チャネルのブラインドの検出を行い、前記ダウンリンク制御情報フォーマットを取得し、その中にアップダウンリンク設定を指示するためのアップダウンリンク設定情報を携えるように設定されるブラインド検出モジュール、及び
アップダウンリンク設定情報の前記ダウンリンク制御情報フォーマットにおける位置に基づき、前記アップダウンリンク設定情報を抽出するように設定される情報抽出モジュールを備えるユーザー装置。
【請求項１９】
前記アップダウンリンク設定情報の前記ダウンリンク制御情報フォーマットにおける位置は、
高位レイヤシグナリング、或いは事前定義された方式、或いはサービスセルインデックスとのマッピング関係、或いはキャリア指示制御ドメイン（CIF）とのマッピング関係、或いはCSI-RS-config高位レイヤ設定パラメータとのマッピング関係の中の少なくとも1種によって確定される請求項18に記載のユーザー装置。
【請求項２０】
前記アップダウンリンク設定情報の前記ダウンリンク制御情報フォーマットにおける位置とは、前記ダウンリンク制御情報フォーマットにおける制御ドメインのインデックス値を指す請求項18に記載のユーザー装置。
【請求項２１】
キャリアアグリゲーションシナリオで、すべてのアグリゲーションに参加するサービスセルのアップダウンリンク設定情報を同一のダウンリンク制御情報フォーマットにベアラし、或いは、キャリアアグリゲーションシナリオで、すべてのアグリゲーションに参加するサービスセルのアップダウンリンク設定情報を異なるダウンリンク制御情報フォーマットにベアラし、或いは、キャリアアグリゲーションシナリオで、前記アグリゲーションに参加するサービスセルのアップダウンリンク設定を各自のサービスセル対応なダウンリンク制御情報フォーマットにベアラする請求項18に記載のユーザー装置。
【国際調査報告】
2016529796.tif 000017
2016529796.tif 000018
2016529796.tif 000019
2016529796.tif 000020